(57)【要約】【課題】車載電装品を制御するスイッチの誤操作を防止するスイッチ操作対応機能制御装置を提供すること。【解決手段】車載電装品７Ｌ、７Ｒ、８を制御するスイッチ２Ｌ、２Ｒの出力信号と車載電装品７Ｌ、７Ｒ、８の機能との間の所定の対応関係に基づいて出力信号に対応する機能を実行させるスイッチ操作対応機能制御装置１００は、車両周辺の走行環境を検知する走行環境検知手段１１と、走行環境検知手段１１が検知した走行環境に基づいてスイッチ２Ｌ、２Ｒの出力信号が適切であるか否かを判定する出力信号適否判定手段１２と、出力信号適否判定手段１２の判定結果に基づいて所定の対応関係を制御する対応関係制御手段１３と、を備える。【選択図】図１
2008254664.tif 000002
【特許請求の範囲】
【請求項１】
車載電装品を制御するスイッチの出力信号と該車載電装品の機能との間の所定の対応関係に基づいて前記出力信号に対応する機能を実行させるスイッチ操作対応機能制御装置であって、
車両周辺の走行環境を検知する走行環境検知手段と、
前記走行環境検知手段が検知した走行環境に基づいて前記スイッチの出力信号が適切であるか否かを判定する出力信号適否判定手段と、
前記出力信号適否判定手段の判定結果に基づいて前記所定の対応関係を制御する対応関係制御手段と、
を備えることを特徴とするスイッチ操作対応機能制御装置。
【請求項２】
前記スイッチは、左右一対のスイッチであり、
前記対応関係制御手段は、前記出力信号適否判定手段により前記左右一対のスイッチの出力信号が適切でないと判定された場合に、前記左右一対のスイッチの出力信号に対応する機能を左右で入れ替える、
ことを特徴とする請求項１に記載のスイッチ操作対応機能制御装置。
【請求項３】
前記所定の対応関係を表示する対応関係表示手段、
を更に備えることを特徴とする請求項１又は２に記載のスイッチ操作対応機能制御装置。
【請求項４】
前記走行環境検知手段が検知した走行環境に基づいて前記スイッチに対する推奨操作を誘導する推奨操作誘導手段、
を更に備えることを特徴とする請求項１乃至３の何れか一項に記載のスイッチ操作対応機能制御装置。
【発明の詳細な説明】
【技術分野】
【０００１】
本発明は、車載電装品を制御するスイッチの出力信号とそれら車載電装品における機能との間の対応関係に基づいて、出力信号に対応する機能を実行させるスイッチ操作対応機能制御装置に関し、特に、左ハンドル車の運転に慣れた運転者でも操作を誤ることなく右ハンドル車を運転できるよう、スイッチの出力信号と車載電装品の機能との間の対応関係を制御するスイッチ操作対応機能制御装置に関する。
【背景技術】
【０００２】
従来、ウインカ操作用スイッチレバーとワイパ操作用スイッチレバーとが左ハンドル車と右ハンドル車との間で左右反対にステアリングコラムに取り付けられることを考慮して、ステアリングコラムに取り付けられる左スイッチレバーの機能と右スイッチレバーの機能とを入れ替えられるようにした車両用電装品制御装置が知られている（例えば、特許文献１参照。）。
【０００３】
この車両用電装品制御装置は、ステアリングコラムに取り付けられた左右一対のスイッチレバーからの操作信号が入力されると、それらスイッチレバーからの操作信号に応じた制御信号を車載電装品に対して出力する制御ユニットを備え、制御ユニットは、予め設定された、スイッチレバーの操作信号と車載電装品の機能との間の対応関係に基づいて車載電装品を制御する。
【０００４】
また、スイッチレバーからの操作信号と車載電装品の機能との間の対応関係は、ソフトウェア的に変更可能であり、車両の工場出荷前の段階において設定の変更が行われる。
【０００５】
これにより、この車両用電装品制御装置は、安価かつ簡単な構成により、左ハンドル車と右ハンドル車との間でスイッチレバーを共通化させることができる。
【特許文献１】特開平８−１８３４０９号公報
【発明の開示】
【発明が解決しようとする課題】
【０００６】
しかしながら、特許文献１に記載の車両用電装品制御装置は、工場出荷前の段階においてスイッチレバーの操作信号と車載電装品の機能との間の対応関係を設定するため、動的に対応関係の設定を変更することができず、一台の右ハンドル車を複数の運転者が共用するような場合であって、運転者の中に左ハンドル車に慣れた運転者がいるような場合に、その左ハンドル車に慣れた運転者に適した対応関係を提供することができず、スイッチレバーの誤操作を引き起こさせてしまう。
【０００７】
上述の点に鑑み、本発明は、車載電装品を制御するスイッチの誤操作を防止するスイッチ操作対応機能制御装置を提供することを目的とする。
【課題を解決するための手段】
【０００８】
上述の目的を達成するために、第一の発明に係るスイッチ操作対応機能制御装置は、車載電装品を制御するスイッチの出力信号と該車載電装品の機能との間の所定の対応関係に基づいて前記出力信号に対応する機能を実行させるスイッチ操作対応機能制御装置であって、車両周辺の走行環境を検知する走行環境検知手段と、前記走行環境検知手段が検知した走行環境に基づいて前記スイッチの出力信号が適切であるか否かを判定する出力信号適否判定手段と、前記出力信号適否判定手段の判定結果に基づいて前記所定の対応関係を制御する対応関係制御手段と、を備えることを特徴とする。
【０００９】
また、第二の発明は、第一の発明に係るスイッチ操作対応機能制御装置であって、前記スイッチは、左右一対のスイッチであり、前記対応関係制御手段は、前記出力信号適否判定手段により前記左右一対のスイッチの出力信号が適切でないと判定された場合に、前記左右一対のスイッチの出力信号に対応する機能を左右で入れ替えることを特徴とする。
【００１０】
また、第三の発明は、第一又は第二の発明に係るスイッチ操作対応機能制御装置であって、前記所定の対応関係を表示する対応関係表示手段を更に備えることを特徴とする。
【００１１】
また、第四の発明は、第一乃至第三の何れかの発明に係るスイッチ操作対応機能制御装置であって、前記走行環境検知手段が検知した走行環境に基づいて前記スイッチに対する推奨操作を誘導する推奨操作誘導手段を更に備えることを特徴とする。
【発明の効果】
【００１２】
上述の手段により、本発明は、車載電装品を制御するスイッチの誤操作を防止するスイッチ操作対応機能制御装置を提供することができる。
【発明を実施するための最良の形態】
【００１３】
以下、図面を参照しつつ、本発明を実施するための最良の形態の説明を行う。
【実施例】
【００１４】
図１は、本発明に係るスイッチ操作対応機能制御装置の構成例を示すブロック図であり、スイッチ操作対応機能制御装置１００は、車載電装品を制御するスイッチレバー２Ｌ、２Ｒの出力信号とそれら車載電装品の機能との間の対応関係を記憶する機能対応マップ５１（後述）に基づいてスイッチレバー２Ｌ、２Ｒの操作に対応する機能を実行させる車載装置であって、制御装置１、右スイッチレバー２Ｒ、左スイッチレバー２Ｌ、雨滴センサ３、測位装置４、記憶装置５、左表示パネル６Ｌ、右表示パネル６Ｒ、左ウインカ７Ｌ、右ウインカ７Ｒ及びワイパ８から構成される。
【００１５】
制御装置１は、スイッチレバー２Ｌ、２Ｒからの出力信号に基づいてウインカ７Ｌ、７Ｒやワイパ８を制御するための装置であり、ＣＰＵ（Central  Processing  Unit）、ＲＡＭ(Random  Access  Memory)、ＲＯＭ（Read  Only  Memory）等を備えたコンピュータであって、例えば、後述の経路探索手段１０、走行環境検知手段１１、出力信号適否判定手段１２、対応関係制御手段１３、対応関係表示手段１４及び推奨操作誘導手段１５のそれぞれに対応するプログラムをＲＯＭに記憶しながら、各手段に対応する処理をＣＰＵに実行させる。
【００１６】
スイッチレバー２Ｌ、２Ｒは、車載電装品を制御するスイッチであり、例えば、ステアリングコラムに取り付けられるスイッチレバーであって、ワイパ８やウインカ７Ｌ、７Ｒを制御するために用いられる。
【００１７】
ここで、図２及び図３を参照しながら、スイッチレバー２Ｌ、２Ｒについて説明する。なお、これら図は、左スイッチレバー２Ｌを中心に説明するが、両スイッチレバーは、左右が逆であることを除き同じ構成であるため、左スイッチレバー２Ｌの説明が右スイッチレバー２Ｒにも適用されるものとする（この場合、「左」を「右」に読み替え、かつ、参照番号の接尾辞「Ｌ」を「Ｒ」に読み替えるものとする。）。
【００１８】
図２は、ステアリングホイールＳＴ周辺を示す図であって、図２（Ａ）がステアリングホイールＳＴ周辺の上面視、図２（Ｂ）がその側面視をそれぞれ示す。また、図３は、左スイッチレバー２Ｌの構成例を示す図である。
【００１９】
図２（Ａ）に示すように、左スイッチレバー２Ｌは、ステアリングコラムに取り付けられ、ステアリングホイールＳＴを把持する運転者の左手で、左スイッチレバー２Ｌを時計回りに移動させる操作（矢印ＡＲ１参照。以下、「時計回り操作」とする。）や反時計回りに移動させる操作（矢印ＡＲ２参照。以下、「反時計回り操作」とする。）ができるようになっている。
【００２０】
また、図２（Ｂ）に示すように、左スイッチレバー２Ｌは、ステアリングホイールＳＴを把持する運転者の左手で、上方に押し上げる操作（矢印ＡＲ３参照。以下、「上方操作」とする。）や下方に押し下げる操作（矢印ＡＲ４参照。以下、「下方操作」とする。）ができるようになっている。
【００２１】
さらに、図３に示すように、左スイッチレバー２Ｌは、その開放端に押しボタン２０Ｌを備えることから運転者の左手でボタン操作（矢印ＡＲ５参照。）ができるようになっており、また、その開放端付近にツマミ２１Ｌを備えることから運転者の左手でダイアル操作（矢印ＡＲ６参照。）ができるようになっている。
【００２２】
なお、左スイッチレバー２Ｌは、その上面位置（運転者が視認し易い位置）にＬＥＤ(light  Emitting  Diode)パネル２２Ｌを備え、運転者に左スイッチレバー２Ｌにおける所定の操作を実行させるべく運転者を誘導するよう、ＬＥＤパネル２２Ｌを点滅させるようにする。
【００２３】
雨滴センサ３は、雨滴を検知するためにセンサであり、例えば、雨滴によって湿らされた受感素子の静電容量値の変化により雨滴を検知する静電容量式センサや光学センサによりガラスに付着した水滴を検知する光学式センサがあり、検知結果を制御装置１に出力する。なお、雨滴センサ３は、静電容量式センサや光学センサにより雨量を推定するようにしてもよい。
【００２４】
測位装置４は、車両の位置を測定するための装置であり、例えば、ＧＰＳ(Global  Positioning  System)受信機によりＧＰＳアンテナを介してＧＰＳ衛星が出力するＧＰＳ信号を受信し、受信した信号に基づいて車両位置（緯度、経度、高度）を測定する。測位装置４による測定は、単独測位や相対測位（干渉測位を含む。）等の如何なる方法であってもよいが、好ましくは精度の高い相対測位が用いられる。この際、車両位置は、舵角センサ、車速センサ、ジャイロセンサ等の各種センサの出力や、ビーコン受信機又はＦＭ多重受信機を介して受信される各種情報に基づいて補正されてもよい。
【００２５】
記憶装置５は、スイッチ操作対応機能制御装置１００が必要とする情報を記憶するための手段であり、例えば、ハードディスクやＤＶＤ(Digital  Versatile  Disk)等の記憶媒体であり、地図情報データベース（以下、「地図情報ＤＢ」とする。）５０、機能対応マップ５１、適否判定マップ５２及び推奨操作マップ５３等を格納する。
【００２６】
地図情報ＤＢ５０は、交差点、インターチェンジ等のノード位置、リンク（ノード間を接続する要素）の距離、リンクコスト（リンクを通過するために要する時間、費用等の度合いをいう。）、施設位置（緯度、経度、高度）、施設名称等を体系的に記憶するデータベースである。
【００２７】
機能対応マップ５１は、各種車載電装品を制御するスイッチの出力信号とそれら車載電装品の機能との間の対応関係を記憶するデータベースであり、例えば、左スイッチレバー２Ｌの各種操作（時計回り操作、反時計回り操作等がある。）に対応するワイパ８の各種機能（速度調整、ウォッシャー液噴射等がある。）を記憶する。
【００２８】
適否判定マップ５２は、運転者によるスイッチ操作が適切であるか否かを判定するための条件を記憶するデータベースである。
【００２９】
適否判定マップ５２は、例えば、左スイッチレバー２Ｌ（ワイパ８の機能が対応付けられているものとする。）が操作された場合に、その操作内容がワイパ８を利用するための行為であるか（適切であるか）、或いは、ウインカ７Ｌ、７Ｒを利用するための行為であるか（不適切であるか）を判定するための条件（例えば、雨滴センサ３の状態、測位装置４が出力する車両位置と地図情報ＤＢ５０が有する交差点位置との間の距離、ワイパ８の稼働状態等に基づいて設定される。）と判定対象となる左スイッチレバー２Ｌの操作内容とを対応付けて記憶する。
【００３０】
また、推奨操作マップ５３は、所定の車載電装品を作動させる条件とその条件が満たされた場合のスイッチレバー２Ｌ、２Ｒに対する推奨操作とを対応付けて記憶するデータベースであり、例えば、ワイパ８を作動させる条件（例えば、雨滴センサ３が雨滴を検知した場合等である。）とその条件が満たされた場合の推奨操作（左スイッチレバー２Ｌの時計回り操作）とを対応付けて記憶する。
【００３１】
表示パネル６Ｌ、６Ｒは、情報を表示するための装置であり、例えば、ＬＥＤ、液晶ディスプレイ、プラズマディスプレイ等であって、所定の情報をパネル上に表示させたり、パネル全体を発光させたり、パネル全体を点滅させたりして、スイッチレバーにおける所定の操作を運転者に実行させるべく運転者を誘導したり、或いは、左右のスイッチレバー２Ｌ、２Ｒがウインカ７Ｌ、７Ｒ又はワイパ８の何れに対応するかを運転者が確認できるようにしたりする。
【００３２】
この場合、表示パネル６Ｌ、６Ｒは、スイッチレバー２Ｌ、２Ｒの上方操作を誘導すべく上向き矢印を表示させたり、スイッチレバー２Ｌ、２Ｒのダイアル操作を誘導すべく回転矢印を表示させたり、或いは、スイッチレバー２Ｌ、２Ｒのボタン操作を誘導すべく所定のアイコンやテキストを表示させたりしてもよい。
【００３３】
また、左表示パネル６Ｌは、左スイッチレバー２Ｌにおける各種操作がウインカ７Ｌ、７Ｒの各種機能に対応する場合に、ウインカ７Ｌ、７Ｒに対応する色（例えば、青色）を発光させたり、「ウインカ」の文字を表示させたり、ウインカ７Ｌ、７Ｒを表す画像を表示させたりする。左スイッチレバー２Ｌにおける各種操作がワイパ８の各種機能に対応する場合も同様である。
【００３４】
また、右表示パネル６Ｒは、左表示パネル６Ｌと同様に、右スイッチレバー２Ｒにおける各種操作がワイパ８の各種機能に対応する場合に、ワイパ８に対応する色（例えば、赤色）を発光させたり、「ワイパ」の文字を表示させたり、ワイパ８を表す画像を表示させたりする。右スイッチレバー２Ｒにおける各種操作がウインカ７Ｌ、７Ｒの各種機能に対応する場合も同様である。
【００３５】
また、表示パネル６Ｌ、６Ｒは、左表示パネル６Ｌを左スイッチレバー２Ｌに対応させ、かつ、右表示パネル６Ｒを右スイッチレバー２Ｒに対応させながら、ステアリングホイールＳＴの中心（ハブ）部分の表面に左右一対となるよう設置されるが（図２（Ａ）参照。）、インストルメントパネル内やダッシュボード上に左右一対で設置されてもよい。
【００３６】
また、表示パネル６Ｌ、６Ｒは、左右一対の構成ではなく、一つの液晶ディスプレイで左右に表示領域を分割させる構成であってもよい。
【００３７】
ウインカ７Ｌ、７Ｒ、及び、ワイパ８は、スイッチレバー２Ｌ、２Ｒが制御する車載電装品であり、制御装置１からの制御信号を受信して、その制御信号に対応する機能を実行する。
【００３８】
なお、ウインカ７Ｌ、７Ｒ、及び、ワイパ８は、作動状態（例えば、左ウインカ７Ｌが点滅状態にあることやワイパ８が低速で作動している状態にあることをいう。）を制御装置１に通知できるものとする。
【００３９】
ここで、図４乃至図６を参照しながら、機能対応マップ５１、適否判定マップ５２及び推奨操作マップ５３の構成について説明する。
【００４０】
図４は、機能対応マップ５１の構成例を示す図であり、図５は、適否判定マップ５２の構成例を示す図であり、図６は、推奨操作マップ５３の構成例を示す図である。
【００４１】
最初に図４について説明する。図４に示す機能対応マップ５１は、左スイッチレバー２Ｌにおけるツマミ２１Ｌのダイアル操作がフロントワイパの間欠時間調整に対応し、左スイッチレバー２Ｌの上方操作がフロントウォッシャー液の噴射に対応し、左スイッチレバー２Ｌの下方操作がリアウォッシャー液の噴射に対応し、左スイッチレバー２Ｌの時計回り操作がフロントワイパの一時作動（手を離すとスイッチレバーの位置が元に戻るセルフリターン式である。）に対応し、左スイッチレバー２Ｌの反時計回り操作がフロントワイパの作動（引き寄せ度合いにより複数段階の速度設定が可能である。）に対応し、左スイッチレバー２Ｌにおける押しボタン２０Ｌのボタン操作がリアワイパの作動に対応することを示す。
【００４２】
また、図４は、右スイッチレバー２Ｒにおけるツマミ２１Ｒのダイアル操作がライトスイッチに対応し、右スイッチレバー２Ｒの上方操作がパッシング（一時的にハイビームに切り替え、手を離すとロービームに戻る。）に対応し、右スイッチレバー２Ｒの下方操作がハイビーム（右スイッチレバー２Ｒの上方操作がない限りハイビームが継続される。）に対応し、右スイッチレバー２Ｒの反時計回り操作が左ウインカ７Ｌの点滅に対応し、右スイッチレバー２Ｒの時計回り操作が右ウインカ７Ｒの点滅に対応し、右スイッチレバー２Ｒにおける押しボタン２０Ｒのボタン操作がフォグランプの点灯に対応することを示す。
【００４３】
次に図５について説明する。図５に示す適否判定マップ５２は、雨滴センサ３の出力がＯＦＦ（降雨なしを意味する。）である場合、左スイッチレバー２Ｌの時計回り操作又は反時計回り操作を不適切な操作として設定していることを示す。雨が降っていないにもかかわらずワイパ８を作動させようとしたとして運転者の操作が不適切であると推定できるからである。
【００４４】
また、図５は、後述の経路探索手段１０が探索した推奨経路に基づく右左折地点と測位装置４が出力する車両位置との間の距離が５０メートル未満となった場合、左スイッチレバー２Ｌの時計回り操作又は反時計回り操作を不適切な操作として設定していることを示す。右左折が予定される地点に車両が接近している状態でウインカ７Ｌ、７Ｒを操作することなくワイパ８を作動させようとしたとして運転者の操作が不適切であると推定できるからである。なお、距離の閾値（この場合、５０メートル）は、車両速度に応じて変化させるようにしてもよい。
【００４５】
さらに、図５は、地図情報ＤＢ５０に記憶された最寄りの分岐地点の位置と測位装置４が出力する車両位置との間の距離が５００メートル以上の場合、右スイッチレバー２Ｒの時計回り操作又は反時計回り操作を不適切な操作として設定していることを示す。右左折すべき分岐路がないにもかかわらず、ウインカ７Ｌ、７Ｒを点滅させようとしたとして運転者の操作が不適切であると推定できるからである。なお、距離の閾値（この場合、５００メートル）は、車両速度に応じて変化させるようにしてもよい。
【００４６】
最後に図６について説明する。図６に示す推奨操作マップ５３は、後述の経路探索手段１０が探索した推奨経路に基づく右（左）折地点と測位装置４が出力する車両位置との間の距離が１００メートル未満となった場合に、右スイッチレバー２Ｒの時計回り（反時計回り）操作（右ウインカ７Ｒ（左ウインカ７Ｌ）の点滅に対応する。）を推奨操作として設定することを示し、雨滴センサ３の出力がＯＮ（降雨有りを意味する。）となった場合に、左スイッチレバー２Ｌの反時計回り操作（ワイパ８の作動に対応する。）を推奨操作として設定することを示す。
【００４７】
次に、制御装置１が有する各種手段について説明する。
【００４８】
経路探索手段１０は、車両の位置情報（緯度、経度、高度）と目的地の位置情報（緯度、経度、高度）と地図情報ＤＢ５０に記憶された地図情報とに基づいて、目的地に至るまでの最適なルートを導き出すための手段であり、例えば、最短経路探索アルゴリズムとしてダイクストラ法を用い最短経路を探索する。
【００４９】
走行環境検知手段１１は、車両周辺の走行環境を検知するための手段であり、例えば、雨滴センサ３の出力に基づいて降雨の有無を検知したり、地図情報ＤＢ５０に記憶された地図情報と測位装置４が出力する車両の位置情報とに基づいて車両が交差点や分合流点等に接近していることを検知したりする。
【００５０】
出力信号適否判定手段１２は、各種車載電装品を制御するスイッチの出力信号が適切であるか否かを判定するための手段であり、例えば、走行環境検知手段１１が検知した走行環境やウインカ７Ｌ、７Ｒ又はワイパ８の作動状態と記憶装置５に記憶された適否判定マップ５２とに基づいて出力信号の適否を判定する。
【００５１】
対応関係制御手段１３は、機能対応マップ５１における対応関係を制御する手段であり、例えば、出力信号適否判定手段１２により出力信号が不適切であると判定された場合に、左スイッチレバー２Ｌの各種操作に対応付けられたワイパ８の各種機能と右スイッチレバー２Ｒの操作に対応付けられたウインカ７Ｌ、７Ｒの各種機能との間の対応関係の左右入れ替えを実行する。
【００５２】
対応関係制御手段１３は、例えば、出力信号適否判定手段１２により、雨滴センサ３の出力がＯＦＦ（降雨なし）のときに左スイッチレバー２Ｌが時計回り操作されたとして左スイッチレバー２Ｌの出力信号が不適切であると判定された場合（図５参照。）、左スイッチレバー２Ｌの時計回り操作に対応付けられたフロントワイパの一時作動機能を右スイッチレバー２Ｒの時計回り操作に対応付け、右スイッチレバー２Ｒの時計回り操作に対応付けられた右ウインカ７Ｒの点滅機能を左スイッチレバー２Ｌの時計回り操作に対応付けるようにする（図４参照。）。
【００５３】
この場合、対応関係制御手段１３は、同時に、左スイッチレバー２Ｌの反時計回り操作、上方操作、下方操作等に対応付けられたワイパ８の各種機能を、右スイッチレバー２Ｒの反時計回り操作、上方操作、下方操作等にそれぞれ対応付け、右スイッチレバー２Ｒの反時計回り操作、上方操作、下方操作等に対応付けられたウインカ７Ｌ、７Ｒの各種機能を左スイッチレバー２Ｌの反時計回り操作、上方操作、下方操作等にそれぞれ対応付けるようにする。
【００５４】
対応関係制御手段１３による左右の入れ替えは、例えば、機能対応マップ５１の内容を直接的に書き換えることで実現されてもよく、機能対応マップ５１の内容をＲＡＭ上にコピーした上でＲＡＭ上の機能対応マップ５１の内容を書き換えることで実現されてもよい。なお、後者の場合、制御装置１は、ＲＡＭ上で書き換えられた機能対応マップ５１を以後参照することとなる。
【００５５】
これにより、スイッチ操作対応機能制御装置１００は、運転者が左ウインカ７Ｌを点滅させようとして誤って左スイッチレバー２Ｌの反時計回り操作を行った場合にも、左スイッチレバー２Ｌの出力信号が不適切であるとして、図５の機能対応マップ５１が示す対応関係を左右で入れ替えることで左スイッチレバー２Ｌの反時計回り操作に対応する出力信号と（右スイッチレバー２Ｒの反時計回り操作に対応付けられていた）左ウインカ７Ｌの点滅機能とを対応付け、誤ってフロントワイパを一時作動させることなく、運転者の本来の意図に沿って左ウインカ７Ｌを点滅させることができる。
【００５６】
なお、対応関係制御手段１３は、左スイッチレバー２Ｌの各種操作に対応付けられたワイパ８の各種機能と右スイッチレバー２Ｒの操作に対応付けられたウインカ７Ｌ、７Ｒの各種機能との間の対応関係の左右入れ替えを一時的に実行させるようにしてもよく、入れ替えた状態を固定（ロック）させるようにしてもよい。
【００５７】
対応関係表示手段１４は、各種車載電装品を制御するためのスイッチレバー２Ｌ、２Ｒにおける各種操作とそれら車載電装品の各種機能との間の対応関係を表示するための手段であり、例えば、図５の機能対応マップ５１に示す対応関係に基づいて、左表示パネル６Ｌに「ワイパ」の文字を表示させ、一方で、右表示パネル６Ｒに「ウインカ」の文字を表示させるようにする。
【００５８】
これにより、スイッチ操作対応機能制御装置１００は、左右何れのスイッチレバーにウインカ７Ｌ、７Ｒの機能が対応付けられているか、或いは、左右何れのスイッチレバーにワイパ８の機能が対応付けられているかを運転者に確認させることができ、左（右）ハンドル車の運転に慣れた運転者が操作を誤ることなく右（左）ハンドル車を運転できるようにする。
【００５９】
推奨操作誘導手段１５は、各種車載電装品を制御するための推奨操作を誘導するための手段であり、例えば、走行環境検知手段１１が検知した走行環境と推奨操作マップ５３（図６参照。）に登録された情報とに基づいて各走行環境に応じた推奨操作に関する情報を取得し、取得した情報に基づいて左右のスイッチレバーに配置されたＬＥＤパネル２２Ｌ、２２Ｒや表示パネル６Ｌ、６Ｒを発光又は点滅させて運転者を誘導しながら、運転者に推奨操作を実行させるようにする。
【００６０】
推奨操作誘導手段１５は、例えば、経路探索手段１０が探索した推奨経路に基づく右折地点と測位装置４が出力する車両位置との間の距離が１００メートル未満となった場合に、推奨操作マップ５３を参照して右スイッチレバー７Ｒの反時計回り操作を推奨操作として取得し、右表示パネル６Ｒ及び右ＬＥＤパネル２２Ｒを点滅させて、運転者に右スイッチレバーの反時計回り操作を実行させるように誘導する。
【００６１】
これにより、スイッチ操作対応機能制御装置１００は、スイッチレバーに対する推奨操作を事前に運転者に提示でき、左（右）ハンドル車の運転に慣れた運転者が操作を誤ることなく右（左）ハンドル車を運転できるようにする。
【００６２】
なお、推奨操作誘導手段１５は、運転者により推奨操作が実行されたことを検出した場合に、表示パネル６Ｌ、６ＲやＬＥＤパネル２２Ｌ、２２Ｒの点滅を中止させるようにするが、所定時間（例えば、３０秒）が経過した場合や条件を満たさなくなった場合（例えば、車両が右左折地点を通過した場合である。）に点滅を中止させるようにしてもよい。タイミングを逸した誘導を防止するためである。
【００６３】
次に、図７を参照しながら、スイッチ操作対応機能制御装置１００がスイッチレバー２Ｌ、２Ｒからの出力信号に応じて車載電装品を制御する処理（以下、「車載電装品制御処理」とする。）について説明する。なお、図７は、車載電装品制御処理の流れを示すフローチャートである。
【００６４】
最初に、スイッチ操作対応機能制御装置１００の制御装置１は、スイッチレバー２Ｌ、２Ｒから出力信号が送信されるのを監視し（ステップＳ１）、出力信号が送信されない限り（ステップＳ１のＮＯ）、そのまま待機する。
【００６５】
出力信号が送信されたことを検出した場合（ステップＳ１のＹＥＳ）、制御装置１は、走行環境検知手段１１により、車両周辺の走行環境を検知する（ステップＳ２）。
【００６６】
その後、制御装置１は、出力信号適否判定手段１２により、記憶装置５の適否判定マップ５２を参照し（ステップＳ３）、走行環境検知手段１１が検知した走行環境に対応する、スイッチレバー２Ｌ、２Ｒの不適切な操作（出力信号）に関する情報を取得する。
【００６７】
その後、出力信号適否判定手段１２は、スイッチレバー２Ｌ、２Ｒから受信した出力信号と走行環境検知手段１１が検知した走行環境とが適否判定マップ５２に登録された条件に合致するか否かを判定し、合致する場合にはスイッチレバー２Ｌ、２Ｒから受信した出力信号が不適切であるとし、合致しない場合にはスイッチレバー２Ｌ、２Ｒから受信した出力信号が適切であると判定する（ステップＳ４）。
【００６８】
受信した出力信号が適切であると判定された場合（ステップＳ４のＹＥＳ）、制御装置１は、記憶装置５の機能対応マップ５１を参照して、スイッチレバー２Ｌ、２Ｒの操作（出力信号）に対応する車載電装品の機能に関する情報を取得し、その対応する機能を車載電装品に実行させるようにする（ステップＳ５）。
【００６９】
一方、受信した出力信号が不適切であると判定された場合（ステップＳ４のＹＥＳ）、制御装置１は、対応関係制御手段１３により、左右のスイッチレバー２Ｌ、２Ｒの各操作に対応付けられた車載電装品の各機能を左右入れ替えた上で（ステップＳ６）、スイッチレバー２Ｌ、２Ｒの操作（出力信号）に対応する車載電装品の機能に関する情報を取得し、その対応する機能を車載電装品に実行させるようにする（ステップＳ５）。
【００７０】
次に、図８を参照しながら、スイッチ操作対応機能制御装置１００がスイッチレバー２Ｌ、２Ｒの操作を誘導する処理（以下、「スイッチ操作誘導処理」とする。）について説明する。なお、図８は、スイッチ操作誘導処理の流れを示すフローチャートであり、スイッチ操作対応機能制御装置１００は、スイッチ操作誘導処理を所定周期で繰り返し実行するものとする。
【００７１】
最初に、スイッチ操作対応機能制御装置１００の制御装置１は、走行環境検知手段１１により、雨滴センサ３からの出力を取得する（ステップＳ１１）。
【００７２】
その後、制御装置１は、走行環境検知手段１１により、雨滴センサ３からの出力に基づいて車両周辺で降雨があるか否かを判定する（ステップＳ１２）。
【００７３】
雨滴センサ３からＯＮ信号（降雨有りを意味する。）を取得し、走行環境検知手段１１により車両周辺で降雨があることが検知された場合（ステップＳ１２のＹＥＳ）、制御装置１は、推奨操作誘導手段１５により、左表示パネル６Ｌ及び左スイッチレバー２ＬのＬＥＤパネル２２Ｌを点滅させ（ステップＳ１３）、運転者に左スイッチレバー２Ｌの反時計回り操作（フロントワイパー作動）を実行するよう誘導する。
【００７４】
なお、既に左スイッチレバー２Ｌの反時計回り操作が実行されていた場合、制御装置１は、左表示パネル６Ｌ及び左スイッチレバー２ＬのＬＥＤパネル２２Ｌを点滅させないようにする。点滅により運転者を混乱させる場合があるからである。
【００７５】
一方、雨滴センサ３からＯＦＦ信号（降雨なしを意味する。）を取得し、走行環境検知手段１１により車両周辺で降雨がないことが検知された場合（ステップＳ１２のＮＯ）、制御装置１は、左表示パネル６Ｌ及び左スイッチレバー２ＬのＬＥＤパネル２２Ｌを点滅させることなく、次のステップＳ１３に移行する。
【００７６】
その後、制御装置１は、経路探索手段１０が探索した推奨経路に基づく最寄りの右（左）折地点と測位装置４が出力する車両位置との間の距離を算出し（ステップＳ１４）、算出した距離に基づいて右（左）折地点が接近したか否かを判定する（ステップＳ１５）。
【００７７】
右折地点までの距離が閾値（例えば、１００メートル）未満となり、右折地点が接近したと判定した場合（ステップＳ１５のＹＥＳ）、制御装置１は、推奨操作誘導手段１５により、右表示パネル６Ｒ及び右スイッチレバー２ＲのＬＥＤパネル２２Ｒを点滅させ（ステップＳ１６）、運転者に右スイッチレバー２Ｒの時計回り操作（右ウインカ７Ｒの点滅）を実行するよう誘導する。この場合、制御装置１は、ナビゲーションシステムによる音声案内を伴わせるようにしてもよい。
【００７８】
同様に、左折地点までの距離が閾値（例えば、１００メートル）未満となり、左折地点が接近したと判定した場合（ステップＳ１５のＹＥＳ）、制御装置１は、推奨操作誘導手段１５により、右表示パネル６Ｒ及び右スイッチレバー２ＲのＬＥＤパネル２２Ｒを点滅させ（ステップＳ１６）、運転者に右スイッチレバー２Ｒの反時計回り操作（左ウインカ７Ｌの点滅）を実行するよう誘導する。
【００７９】
以上の構成により、スイッチ操作対応機能制御装置１００は、走行環境に基づいてスイッチレバー２Ｌ、２Ｒの操作の適否を判定し、不適切と判定した場合には、スイッチレバー２Ｌ、２Ｒの操作に対応する車載電装品の機能を左右のスイッチレバーで切り替えるので、スイッチレバー２Ｌ、２Ｒの誤操作を確実に防止することができる。
【００８０】
また、スイッチ操作対応機能制御装置１００は、走行環境に基づいて、左右のスイッチレバー２Ｌ、２Ｒに取り付けられたＬＥＤパネル２２Ｌ、２２Ｒを適宜点滅させたり、左右のスイッチレバー２Ｌ、２Ｒのそれぞれに対応する表示パネル６Ｌ、６Ｒを適宜点滅させたりしながら適切なスイッチレバー２Ｌ、２Ｒの操作を誘導するので、スイッチレバー２Ｌ、２Ｒの誤操作を未然に防止することができる。
【００８１】
また、スイッチ操作対応機能制御装置１００は、左スイッチレバー２Ｌの各種操作に対応付けられたワイパ８の各種機能と右スイッチレバー２Ｒの操作に対応付けられたウインカ７Ｌ、７Ｒの各種機能との間の対応関係の左右入れ替えを動的に実行するので、左ハンドル車に慣れた運転者及び右ハンドル車に慣れた運転者の何れにも快適な運転環境を提供することができる。
【００８２】
以上、本発明の好ましい実施例について詳説したが、本発明は、上述した実施例に制限されることはなく、本発明の範囲を逸脱することなしに上述した実施例に種々の変形及び置換を加えることができる。
【００８３】
例えば、上述の実施例において、スイッチ操作対応機能制御装置１００は、雨滴センサ３の出力に基づいて降雨の有無を判定するが、雨滴センサ３の出力に基づいて雨量を推定するようにし、推定した雨量に応じて推奨操作を変化させるようにしてもよい。例えば、雨量が増加した場合に左スイッチレバー２Ｌの反時計回り操作（ワイパ８の動作速度の増大）を推奨操作に設定するようにする。
【００８４】
また、上述の実施例は、左右のスイッチレバーによりウインカ７Ｌ、７Ｒ、及び、ワイパ８を制御する構成を説明するが、パドルシフトレバー、排気ブレーキレバー、リターダブレーキレバー等を制御する構成としてもよい。
【図面の簡単な説明】
【００８５】
【図１】スイッチ操作対応機能制御装置の構成例を示すブロック図である。
【図２】ステアリングホイール周辺を示す図である。
【図３】左スイッチレバーの構成例を示す図である。
【図４】機能対応マップの構成例を示す図である。
【図５】適否判定マップの構成例を示す図である。
【図６】推奨操作マップの構成例を示す図である。
【図７】車載電装品制御処理の流れを示すフローチャートである。
【図８】スイッチ操作誘導処理の流れを示すフローチャートである。
【符号の説明】
【００８６】
１      制御装置
２Ｌ、２Ｒ    スイッチレバー
３      雨滴センサ
４      測位装置
５      記憶装置
６Ｌ、６Ｒ  表示パネル
７Ｌ、７Ｒ  ウインカ
８      ワイパ
１０    経路探索手段
１１    走行環境検知手段
１２    出力信号適否判定手段
１３    対応関係制御手段
１４    対応関係表示手段
１５    推奨操作誘導手段
２０Ｌ  押しボタン
２１Ｌ  ツマミ
２２Ｌ  ＬＥＤパネル
５０    地図情報ＤＢ
５１    機能対応マップ
５２    適否判定マップ
５３    推奨操作マップ
１００  スイッチ操作対応機能制御装置
ＳＴ    ステアリングホイール
【図１】
2008254664.tif 000003
【図２】
2008254664.tif 000004
【図３】
2008254664.tif 000005
【図４】
2008254664.tif 000006
【図５】
2008254664.tif 000007
【図６】
2008254664.tif 000008
【図７】
2008254664.tif 000009
【図８】
2008254664.tif 000010